(57)【要約】【課題】伸長された状態における長さを容易に確認することができる伸縮ポールを提供する。【解決手段】伸縮ポール１０は、複数の内側ポール１１が外側ポール９の内側に入れ子状に配置されて、順次引き出される伸縮ポールであって、複数の内側ポール１１のうち最も径の小さな第１ポール１の先端には、撮像装置３０を取り付け可能な取付部１７が設けられ、複数の内側ポール１１のうち、少なくとも一は目印ポールであり、目印ポールの長手方向における基準位置には、伸長状態における外側ポール９の後端から第１ポール１の先端までの長さに応じたガイドマークＧが形成されており、伸長状態は、目印ポールが基準位置まで引き出されるとともに、目印ポールよりも径の小さな全ての内側ポール１１が最大伸長距離まで引き出され、且つ目印ポールよりも径の大きな全ての内側ポール１１が引き出されることなく収容されている状態である。【選択図】図６
2017067894.tif 000002
【特許請求の範囲】
【請求項１】
それぞれ径の異なる複数の内側ポールが外側ポールの内側に入れ子状に配置されて収容された収容状態と、前記内側ポールが順次引き出された伸長状態とを有する伸縮ポールであって、
前記複数の内側ポールのうち最も径の小さな第１ポールの先端には、撮像装置を取り付け可能な取付部が設けられ、
前記複数の内側ポールのうち、少なくとも一は目印ポールであり、
前記目印ポールの長手方向における基準位置には、前記伸長状態における前記外側ポールの後端から前記第１ポールの先端までの長さに応じたガイドマークが形成されており、
前記伸長状態は、
前記目印ポールが前記基準位置まで引き出されるとともに、前記目印ポールよりも径の小さな全ての前記内側ポールが最大伸長距離まで引き出され、且つ前記目印ポールよりも径の大きな全ての前記内側ポールが引き出されることなく収容されている状態である、伸縮ポール。
【請求項２】
前記ガイドマークは、前記目印ポールの長手方向に沿って、前記目印ポールの外周に設けられた目盛である、請求項１に記載の伸縮ポール。
【請求項３】
前記外側ポールの後端に当該外側ポールの長手方向に直交する方向に延在する踏み板が設けられている、請求項１又は２に記載の伸縮ポール。
【請求項４】
前記外側ポールと前記踏み板とは弾性体を介して連結されている、請求項３に記載の伸縮ポール。
【請求項５】
前記踏み板は、前記外側ポールを支持して前記外側ポールの長手方向に直交する方向に延在するベース板部と、前記ベース板部の前記外側ポールとは反対側である裏面から突出する突起部とを備えた、請求項３又は４に記載の伸縮ポール。
【請求項６】
前記踏み板は、前記外側ポールの前記後端に取り付けられた固定部と、ヒンジ部を介して前記固定部に連結されたペダル部と、を備え、
前記ヒンジ部は、前記固定部に対して前記ペダル部が前記外側ポールの長手方向に延在する状態と、前記外側ポールの長手方向に直交する方向に延在する状態とに回動可能に連結する、請求項３〜５のいずれか一項に記載の伸縮ポール。
【請求項７】
前記内側ポール又は前記外側ポールを中心とした水平円周上には、方位に対応させた方位指示部が設けられている、請求項１〜６のいずれか一項に記載の伸縮ポール。
【請求項８】
前記内側ポール及び前記外側ポールの少なくとも一方の外周面には、長手方向に延びるガイドラインが形成されている、請求項１〜７のいずれか一項に記載の伸縮ポール。
【請求項９】
前記第１ポールの先端には、当該第１ポールを中心とした水平円の円周に沿った環状の目線ガイドが設けられている、請求項１〜８のいずれか一項に記載の伸縮ポール。
【請求項１０】
請求項１〜９のいずれか一項に記載の伸縮ポールにおける前記取付部に撮像装置を取り付け、前記伸縮ポールを垂直にした状態で前記撮像装置によって撮像を行う、撮像方法。
【請求項１１】
前記撮像装置として全方位カメラを用いる、請求項１０に記載の撮像方法。
【発明の詳細な説明】
【技術分野】
【０００１】
本発明は、伸縮ポール及び撮像方法に関する。
【背景技術】
【０００２】
従来、高所からの写真撮影に使用される伸縮ポールが知られている。例えば、特許文献１には、高所からの写真撮影を行うために、伸縮ポールの先端にカメラが搭載された撮影装置が記載されている。この撮影装置では、伸縮式の３本の伸縮ポールが使用されており、使用時には、３本の伸縮ポールが伸長した状態となる。
【先行技術文献】
【特許文献】
【０００３】
【特許文献１】実用新案登録第３１８１５３７号公報
【発明の概要】
【発明が解決しようとする課題】
【０００４】
特許文献１に記載された撮影装置は、橋梁の高所に位置する亀裂や、住宅の屋根などの撮影に利用される。このような利用方法では、撮影の対象となる位置に向けて伸縮ポールを伸長し、目的とする位置（例えば亀裂など）にカメラが到達していることを目視によって確認すればよい。しかしながら、亀裂のような特定の場所の撮影ではなく、所定の高さにおける眺望等の撮影が求められる場合において、目的とする高さに何らの目印もないときには、伸縮ポールが適切な長さに伸長していることを確認することが困難であった。
【０００５】
本発明は、伸長された状態における長さを容易に確認することができる伸縮ポールを提供することを目的とする。
【課題を解決するための手段】
【０００６】
一形態に係る伸縮ポールは、それぞれ径の異なる複数の内側ポールが外側ポールの内側に入れ子状に配置されて収容された収容状態と、内側ポールが順次引き出された伸長状態とを有する伸縮ポールであって、複数の内側ポールのうち最も径の小さな第１ポールの先端には、撮像装置を取り付け可能な取付部が設けられ、複数の内側ポールのうち、少なくとも一は目印ポールであり、目印ポールの長手方向における基準位置には、伸長状態における外側ポールの後端から第１ポールの先端までの長さに応じたガイドマークが形成されており、伸長状態は、目印ポールが基準位置まで引き出されるとともに、目印ポールよりも径の小さな全ての内側ポールが最大伸長距離まで引き出され、且つ目印ポールよりも径の大きな全ての内側ポールが引き出されることなく収容されている状態である。
【０００７】
また、一形態に係る撮像方法は、上記の伸縮ポールにおける取付部に撮像装置を取り付け、伸縮ポールを垂直にした状態で撮像装置によって撮像を行う。
【０００８】
このような伸縮ポールでは、全ての内側ポールが収容された収容状態で、第１ポールから順に内側ポールが最大伸長距離まで引き出される操作が使用者によって行なわれる。この場合、目印ポールがガイドマークの位置まで引き出されたときに伸縮ポールが伸長状態となる。ガイドマークは伸長状態における伸縮ポールの長さに応じて形成されているため、作業者は、目印ポールのガイドマークが見えた段階で引出しを停止するだけで、伸長した伸縮ポールの長さを容易に確認することができる。そして、このような伸縮ポールを用いた撮像方法では、撮像装置が取り付けられた伸縮ポールを地面等に対して垂直にすることで、目的の高さにおいて容易に撮像することができる。
【０００９】
また、ガイドマークは、目印ポールの長手方向に沿って、目印ポールの外周に設けられた目盛である構成でもよい。この構成では、目盛によって、伸長状態おける伸縮ポールの長さをより細かく確認することができる。
【００１０】
また、外側ポールの後端に当該外側ポールの長手方向に直交する方向に延在する踏み板が設けられている構成でもよい。この構成では、使用者が踏み板を踏みつけることによって、伸縮ポールの後端が地面からずれることが防止され、伸縮ポールのぐらつきが生じ難い。
【００１１】
また、外側ポールと踏み板とは弾性体を介して連結されている構成でもよい。この構成では、外側ポールの後端と踏み板との間で弾性体がいわゆる遊びとして機能し、伸縮ポールの揺れ等が踏み板に伝わり難い。
【００１２】
また、踏み板は、外側ポールを支持して外側ポールの長手方向に直交する方向に延在するベース板部と、ベース板部の外側ポールとは反対側である裏面から突出する突起部とを備えた構成でもよい。この構成では、地面等に対して突起部が食い込むことによって、踏み板がずれることが抑制される。
【００１３】
また、踏み板は、外側ポールの後端に取り付けられた固定部と、ヒンジ部を介して固定部に連結されたペダル部と、を備え、ヒンジ部は、固定部に対してペダル部が外側ポールの長手方向に延在する状態と、外側ポールの長手方向に直交する方向に延在する状態とに回動可能に連結する構成でもよい。この構成では、使用時には、踏み板を外側ポールの長手方向に直交する方向に延在させる。そして、使用後には、踏み板を回動させることによって、伸縮ポールをコンパクトに収容することができる。
【００１４】
また、内側ポール又は外側ポールを中心とした水平円周上には、方位に対応させた方位指示部が設けられている構成でもよい。この構成では、撮像された画像と実際の方位とを容易に対応させることができる。
【００１５】
また、内側ポール及び外側ポールの少なくとも一方の外周面には、長手方向に延びるガイドラインが形成されている構成でもよい。この構成では、ガイドラインを目印として撮像装置の向きを調整しやすい。
【００１６】
また、第１ポールの先端には、当該第１ポールを中心とした水平円の円周に沿った環状の目線ガイドが設けられている構成でもよい。この構成では、撮像された高さから水平方向を見た場合における目線の位置を、撮像された画像内に示すことができる。
【００１７】
また、撮像装置として全方位カメラを用いる構成でもよい。この構成によれば、撮像された高さ位置からの全方位の景色を容易に把握することができる。
【発明の効果】
【００１８】
本発明の伸縮ポールによれば、伸長された状態における伸縮ポールの長さを容易に確認することができる。
【図面の簡単な説明】
【００１９】
【図１】一実施形態に係る伸縮ポールを示す正面図である。
【図２】伸縮ポールの後端を示す断面図であり、（ａ）は踏み板が開いた状態を示し、（ｂ）は踏み板が閉じた状態を示す。
【図３】（ａ）は、伸縮ポールの踏み板を構成する固定部の横断面図である。（ｂ）は、伸縮ポールの踏み板を構成するペダル部の横断面図である。
【図４】伸縮ポールの先端に取り付けられた目線ガイド及び方位指示部を示す斜視図である。
【図５】伸縮ポールの一部が伸長した状態を示す正面図である。
【図６】伸縮ポールの一部が伸長した状態を示す正面図である。
【図７】他の実施形態に係る伸縮ポールを示す正面図である。
【発明を実施するための形態】
【００２０】
以下、本発明に係る実施の形態について図面を参照しながら具体的に説明する。便宜上、実質的に同一の要素には同一の符号を付し、その説明を省略する場合がある。
【００２１】
（第１実施形態）
【００２２】
図１に示されるように、伸縮ポール１０は、複数の内側ポール１１、外側ポール９、及び、踏み板２０を備えている。本実施形態における伸縮ポール１０は、外側ポール９から複数の内側ポール１１が順次引き出されるものである。以下の説明では、内側ポール１１が引き出される方向を先端側とし、その反対側を後端側とする。また、外側ポール９と内側ポール１１とを特段の区別なく説明する場合には、単に「ポール１２」と称する。
【００２３】
外側ポール９は、径の一様な円筒状をなす外側ポール本体９ａと、外側ポール本体９ａの先端に取り付けられた円筒状の固定用リング１５とを有する。本実施形態における固定用リング１５は、外側ポール本体９ａの先端に切られたネジ山に対して螺着される。これにより、固定用リング１５は、外側ポール本体９ａに対して締緩自在に取り付けられている。
【００２４】
外側ポール９の後端には、踏み板２０が設けられている。踏み板２０は、伸縮ポール１０を地面に対して垂直に立てる際に、作業者が足で体重を乗せることによって伸縮ポール１０を安定して支持するためのものである。図２に示されるように、踏み板２０は、外側ポール９の後端に取り付けられる固定部２１と、固定部２１に連結されているペダル部２７とを有する。
【００２５】
固定部２１は、矩形平板状の上板部（ベース板部）２１ａと、上板部２１ａの対向する二辺から外側ポール９と反対側である裏面側から突出する２つの側壁部（突起部）２１ｂとを有する。上板部２１ａには、外側ポール９との連結に用いられるボルト孔２１ｃが形成されている（図３（ａ）参照）。本実施形態では、外側ポール９の後端に有底筒状の弾性キャップ２９が装着されている。弾性キャップ２９は、例えばシリコーンゴム等の弾性体によって形成されている。弾性キャップ２９の底部２９ａには、ボルト孔が形成されている。固定部２１と弾性キャップ２９とは、互いのボルト孔に挿通されたボルト２３にナット２４が締結されることによって連結される。図示例では、弾性キャップ２９の底部２９ａの上下にワッシャー２５が配置されることで、ナット２４の抜け落ちを抑制している。
【００２６】
ペダル部２７は、矩形平板状の上板部（ベース板部）２７ａと、上板部２７ａの対向する二辺から外側ポール９と反対側である裏面側から突出する２つの側壁部（突起部）２７ｂとを有する（図３（ｂ）参照）。ペダル部２７の側壁部２７ｂの高さと固定部２１の側壁部２１ｂの高さは同じになっている。ペダル部２７は、ヒンジ部２８を介して固定部２１と回動可能に連結されている。図示例では、固定部２１の上板部２１ａの端縁と、ペダル部２７の上板部２７ａの端縁とが、ヒンジ部２８によって連結されている。これにより、踏み板２０は、固定部２１の上板部２１ａとペダル部２７の上板部２７ａとが略直交して、外側ポール９の長手方向にペダル部２７が延在する収納状態（図２（ｂ）の状態）と、外側ポール９の長手方向に直交する方向にペダル部２７が延在する使用状態（図２（ａ）の状態）とに切替可能となっている。
【００２７】
図１に示されるように、複数の内側ポール１１は、第１ポール１、第２ポール２、第３ポール３、第４ポール４、第５ポール５、第６ポール６、第７ポール７及び第８ポール８によって構成されている。各内側ポール１１はそれぞれ径の一様な円筒状をなしている。複数の内側ポール１１のうち第１ポール１が最も小さな径を有し、第２ポール２、第３ポール３、第４ポール４、第５ポール５、第６ポール６、第７ポール７及び第８ポール８の順に大きな径を有する。このように、それぞれ異なる径を有した複数の内側ポール１１は、入れ子状に配置されている。また、第８ポール８は、外側ポール９の内側空間に収容可能となっている。すなわち、複数の内側ポール１１は、外側ポール９に対して入れ子状に配置されている。
【００２８】
径方向に互いに隣接して配置されるポール１２同士では、内側に配置されるポール１２の外径と、外側に配置されるポール１２の内径とが略同じに形成されている。これにより、内側に配置されたポール１２は外側に配置されたポール１２に対して相対的に摺動可能となる。なお、内側に配置されるポール１２の外周と外側に配置されるポール１２の内周とには所定のクリアランスが設けられる。
【００２９】
最も径の小さな第１ポール１の先端には、ポールキャップ１６が嵌合されており、このポールキャップ１６の先端には撮像装置３０を取り付け可能な取付部１７が設けられている。取付部１７は、一般にカメラなどの撮像装置を三脚に取り付ける際に利用されるネジ孔に対応している。例えば取付部１７は、１／４−２０ＵＮＣ（インチ）のねじ山が形成されたネジ状部である。取付部１７には、位置合わせプレート１７ａが取り付けられている。位置合わせプレート１７ａは、例えば円形の板状であり、中央に取付部１７のネジ山に対応したねじ切りがなされたネジ孔が形成されている。例えば、取付部１７に撮像装置３０を螺着した状態で、位置合わせプレート１７ａを撮像装置３０側に移動させることによって、撮像装置３０の取付が行われる。これにより、取付部１７に対して任意の回転角度で撮像装置３０を固定することができる。
【００３０】
また、図４に示されるように、第１ポール１の先端には、第１ポール１の軸心を中心とした水平円の円周に沿った環状の目線ガイド４１が設けられている。この目線ガイド４１は、Ｌ字状の棒体からなる４本の支持部４２によって支持されている。目線ガイド４１は、取付部１７に取り付けられた撮像装置３０のレンズ３２の高さに調整できるように、上下動可能となっている。支持部４２は、第１ポール１の軸心を中心として９０度間隔で均等に配置されている。支持部４２の上端には、方位指示部４５Ｎ，４５Ｓ，４５Ｅ，４５Ｗが設けられている。方位指示部４５Ｎ，４５Ｓ，４５Ｅ，４５Ｗは、例えば異なる色によって彩色された球体であり、伸縮ポール１０を中心とした水平円周上の方位を対応させることができる。
【００３１】
再び図１を参照する。第２〜第８ポール２〜８の先端には、外側ポール９と同様に固定用リング１５が設けられている。外側ポール９と第２〜第８ポール２〜８とに設けられた固定用リング１５は、その内側に隣接して配置される内側ポール１１が固定された状態と、この固定を解除して摺動可能にした状態との切替操作に使用される。例えば、第２ポール２に設けられた固定用リング１５が緩められた状態では、第２ポール２に対する第１ポール１の固定が解除され、第１ポール１が摺動自在となる。そして、第２ポール２に設けられた固定用リング１５が締められた状態では、第２ポール２に対する第１ポール１の位置が固定される。
【００３２】
各内側ポール１１は、外側に隣接する他のポール１２に対する相対的な位置が最も後端側となって収容された状態をとることができる。全ての内側ポール１１が収容されている状態（以下、「収容状態」と称する場合がある）では、図１に示されるように、伸縮ポール１０の後端から先端までの長さが最も短くなっている。本実施形態の収容状態においては、外側に隣接する他のポール１２に対して、各内側ポール１１の先端が所定の長さだけ突出している。
【００３３】
また、各内側ポール１１は、外側に隣接するポール１２に収容された状態から、先端側に向かって最大伸長距離まで引き出すことができる。例えば図５は、収容状態から、第１ポール１が最大伸長距離まで引き出され、第２ポール２が途中まで引き出されている様子を示している。本実施形態では、内側ポール１１が所定の位置まで引き出されると、図示しない規制部によって、それ以上の伸長が規制されるようになっており、このときの内側ポール１１が引き出された距離が最大伸長距離となる。なお、例えば、所定の位置までしか引き出されないことが予め決まっている場合には、更なる引出しが物理的に可能であったとしても、当該位置まで引き出されたときの距離を最大伸長距離としてもよい。
【００３４】
複数の内側ポール１１のうち、少なくとも一は目印ポールとなっている。目印ポールの長手方向における基準位置には、伸長状態における外側ポール９の後端から第１ポール１の先端までの長さに応じたガイドマークが形成されている。ここで、伸長状態とは、目印ポールが基準位置まで引き出されるとともに、目印ポールよりも径の小さな全ての内側ポールが最大伸長距離まで引き出され、且つ目印ポールよりも径の大きな全ての内側ポールが引き出されることなく収容されている状態である。
【００３５】
本実施形態における伸縮ポール１０では、第４ポール４、第６ポール６及び第８ポール８が目印ポールとなっている。図６は、第４ポール４が目印ポールとして機能しているときの、伸長状態を示している。すなわち、この状態では、第４ポール（目印ポール）４よりも径の小さな第１ポール１、第２ポール２及び第３ポール３が最大伸長距離まで引き出されているとともに、第４ポール４よりも径の大きな第５ポール５、第６ポール６及び第７ポール７が引き出されることなく収容されている。そして、第４ポール４は、第５ポール５から基準位置であるガイドマークＧまで引き出されている。本実施形態においては、ガイドマークＧとして「２Ｆベランダ」という文字が採用されている。これは、第４ポール４が目印ポールとして機能しているときの伸長状態における外側ポール９の後端から第１ポール１の先端までの長さが、２階のベランダに人が立ったときの当該人の目線の地上からの高さ（例えば、４９００ｍｍ）に相当していることを意味している。
【００３６】
本実施形態では、第６ポール６の基準位置に形成されたガイドマークとして「３Ｆベランダ」又は「２Ｆ屋上」という文字が採用され得る。「３Ｆベランダ」又は「２Ｆ屋上」とは、３階のベランダに人が立ったとき、又は、２階建て建物の屋上に人が立ったときの目線の高さ（例えば、７８００ｍｍ）に相当していることを意味している。また、第８ポール８の基準位置に形成されたガイドマークとして「３Ｆ屋上」という文字が採用され得る。「３Ｆ屋上」とは、３階建て建物の屋上に人が立ったときの目線の高さ（例えば、１０６００ｍｍ）に相当していることを意味している。
【００３７】
内側ポール１１及び外側ポール９の少なくとも一方の外周面には、長手方向に延びるガイドラインＧＬが形成されている（図４参照）。本実施形態では、全てのポール１２の外周面にガイドラインＧＬが設けられている。ガイドラインＧＬは、ポール１２の外周面における周方向の一カ所のみに、長手方向に沿って形成されている。各ポール１２の回転角度を調整することによって、各ポール１２に形成されたガイドラインＧＬをそろえることができる。このガイドラインＧＬを方位指示部４５Ｎ，４５Ｓ，４５Ｅ，４５Ｗのうちの一つ（例えば方位指示部４５Ｎ）に合わせることによって、容易に方位指示部４５Ｎ，４５Ｓ，４５Ｅ，４５Ｗを実際の方位に合わせることができる。
【００３８】
次に、本実施形態に係る伸縮ポール１０を用いた高所からの撮像方法について説明する。本実施形態における伸縮ポール１０は、例えば、新たに住宅を建築しようとする場合に、建築しようとする住宅からの眺望を予め確認するために使用することができる。新築で住宅を建築する場合や、建て替えによってそれまでよりも階数の高い住宅を建築する場合には、建築が予定される住宅からの実際の眺望を事前に確認することが困難である。以下、伸縮ポール１０を用いた撮像方法の一例について具体的に述べる。
【００３９】
この例では、撮像装置３０として上下左右の全方位（３６０度）の撮像を行うことができる全方位カメラを使用するものとする。まず、伸縮ポール１０の先端に形成された取付部１７に対して撮像装置３０が取り付けられる。この際、目線ガイド４１の高さが撮像装置３０のレンズ３２の高さになるように調整される。また、第１ポール１に形成されたガイドラインＧＬの周方向の位置と、方位指示部４５Ｎの周方向の位置とが一致するように、支持部４２の回転位置が調整される。
【００４０】
続いて、建築が予定されている場所に収容状態の伸縮ポール１０が略垂直となるように立てられる。この際、作業者は、踏み板２０を使用状態にして、ペダル部２７に足を載せ体重をかける。続いて、固定用リング１５を緩めて、第１ポール１から順番に、最大伸長距離となるまで各内側ポール１１を順次伸長させていく。すなわち、第１ポール１が最大伸長距離まで伸長したら、第２ポール２の固定用リング１５を締め、続いて、第３ポール３の固定用リング１５を緩めて第２ポール２を伸長させる。このように、第１ポール１から順番に内側ポール１１を伸長させるとき、各ポール１２に形成されたガイドラインＧＬの周方向の位置が揃うように調整する。そして、例えば、２階のベランダからの眺望に相当する画像を撮りたい場合には、「２Ｆベランダ」とのガイドマークＧの位置まで内側ポール１１を伸長させる（すなわち、図６の状態）。これにより、先端に取り付けられた撮像装置３０の高さが、２階建て建物の屋上に人が立ったときの目線の高さに略一致する。この状態で、方位磁針等を用いてガイドラインＧＬを北に合わせた状態で撮像を行う。撮像は、地上の作業者によるスマートフォンやタブレットＰＣを用いた無線操作によって行われ得る。
【００４１】
次に、本実施形態における作用、効果について説明する。高さの目印がない場所において高所からの撮影を行う場合には、まず、撮影したい高さに合わせて伸縮ポールを伸長させる必要がある。従来の伸縮ポールでは、撮影したい高さと同じ長さに伸縮ポールが伸長していることを確認するために、伸長した伸縮ポールの長さをメジャー等で計測する必要があり面倒である。通常、このような計測は、伸長した伸縮ポールを地面等に載置して行われる。そのため、伸長した伸縮ポールの長さよりも広いスペースが必要となる。
【００４２】
本実施形態における伸縮ポール１０によれば、全ての内側ポール１１が収容された収容状態で、第１ポール１から順に内側ポール１１が最大伸長距離まで引き出される操作が使用者によって行なわれる。この場合、目印ポール（第４ポール４、第６ポール６又は第８ポール８）がガイドマークＧの位置まで引き出されたときに伸縮ポール１０が伸長状態となる。ガイドマークＧは伸長状態における伸縮ポール１０の長さに応じて形成されているため、作業者は、目印ポールのガイドマークＧが見えた段階で引出しを停止するだけで、伸長した伸縮ポール１０の長さを容易に確認することができる。そして、このような伸縮ポール１０を用いた撮像方法では、撮像装置３０が取り付けられた伸縮ポール１０を地面等に対して垂直にした状態で伸長させることによって、広いスペースを要することなく、目的の高さにおいて容易に撮像することができる。
【００４３】
また、外側ポール９の後端に外側ポール９の長手方向に直交する方向に延在する踏み板２０が設けられている。この構成では、使用者が踏み板２０のペダル部２７に体重を乗せることによって、伸縮ポール１０の後端が地面からずれることが防止され、伸縮ポール１０のぐらつきが生じ難い。
【００４４】
また、外側ポール９と踏み板２０とは弾性キャップ２９を介して連結されているので、外側ポール９の後端と踏み板２０との間にいわゆる遊びが設けられる。これによって、伸縮ポール１０の揺れ等が踏み板２０に伝わり難くなり、伸縮ポール１０のぐらつきをより抑制することができる。
【００４５】
また、踏み板２０は、外側ポール９を支持して外側ポール９の長手方向に直交する方向に延在する上板部（ベース板部）２１ａ，２７ａと、上板部（ベース板部）２１ａ，２７ａの外側ポール９とは反対側である裏面から突出する側壁部（突起部）２１ｂ，２７ｂが形成されている。これにより、地面等に対して側壁部２１ｂ，２７ｂが食い込むことによって、踏み板２０がずれることが抑制される。
【００４６】
また、この踏み板２０は、外側ポール９の後端に取り付けられた固定部２１と、ヒンジ部２８を介して固定部２１に連結されたペダル部２７と、を備え、ヒンジ部２８は、固定部２１に対してペダル部２７が外側ポール９の長手方向に延在する状態と、外側ポール９の長手方向に直交する方向に延在する状態とに回動可能に連結している。これにより、使用時には、ペダル部２７を外側ポール９の長手方向に直交する方向に延在させることができる。そして、使用後には、ペダル部２７を回動させることによって、伸縮ポール１０をコンパクトに収納することができる。
【００４７】
また、内側ポール１１又は外側ポール９を中心とした水平円周上には、方位に対応させた方位指示部４５Ｎ，４５Ｓ，４５Ｅ，４５Ｗが設けられている。例えば、方位指示部４５Ｎを実際の方位の北に合わせた状態で、方位指示部４５Ｎ，４５Ｓ，４５Ｅ，４５Ｗが写り込むように撮像される。これにより、撮像された方位指示部４５Ｎ，４５Ｓ，４５Ｅ，４５Ｗと実際の方位と対応させることができ、撮像された画像内の方位を容易に把握することができる。
【００４８】
また、内側ポール１１及び外側ポール９の外周面には、長手方向に延びるガイドラインＧＬが形成されている。ガイドラインＧＬと、方位指示部４５Ｎ，４５Ｓ，４５Ｅ，４５Ｗとを一致させることによって、ガイドラインＧＬを目印として方位指示部４５Ｎ，４５Ｓ，４５Ｅ，４５Ｗの向きを調整しやすい。また、ガイドラインＧＬと撮像装置３０のレンズ３２とを一致させた場合には、撮像装置３０のレンズ３２の向きを調整しやすい。
【００４９】
また、第１ポール１の先端には、第１ポール１を中心とした水平円の円周に沿った環状の目線ガイド４１が設けられている。これによって、撮像された高さから水平方向を見た場合における目線の位置を、撮像された画像内に示すことができる。
【００５０】
また、撮像装置３０として全方位カメラを用いるので、撮像された高さ位置からの全方位の景色を容易に把握することができる。
【００５１】
（第２実施形態）
本実施形態に係る伸縮ポール１１０は、全ての内側ポールにガイドマークとしての目盛が形成されており、全ての内側ポールが目印ポールとして機能する点において、第１実施形態と相違する。以下、主として第１実施形態と相違する点について説明し、同一の要素や部材については同一の符号を付して詳しい説明は省略する。
【００５２】
図７に示されるように、伸縮ポール１１０は、複数の内側ポール１１１、外側ポール９、及び、踏み板２０を備えている。複数の内側ポール１１１は、第１ポール１０１、第２ポール１０２、第３ポール１０３、第４ポール１０４、第５ポール１０５、第６ポール１０６、第７ポール１０７及び第８ポール１０８からなっている。これら複数の内側ポール１１１は、形成されているガイドマークのみにおいて第１実施形態における複数の内側ポール１１と相違する。すなわち、複数の内側ポール１１１は、第１実施形態と同様に、外側ポール９の内側空間に入れ子状に配置され、第１ポール１０１から順次引き出されるものである。
【００５３】
各内側ポール１１１にはガイドマークとしての目盛Ｓが形成されている。目盛Ｓは、内側ポール１１１の長手方向に沿って、内側ポール１１１の外周に形成されている。この目盛Ｓは、一の内側ポール１１１が目盛Ｓまで引き出されるとともに、一の内側ポール１１１よりも径の小さな全ての他の内側ポール１１１が最大伸長距離まで引き出され、且つ一の内側ポールよりも径の大きな全ての他の内側ポール１１１が引き出されることなく収容されている状態のときの、外側ポール９の後端から第１ポール１０１の先端までの長さに対応している。そのため、目盛Ｓは、第１ポール１０１の先端側から後端側に向かって、値が大きくなっている。
【００５４】
例えば、図７に示されている第１ポール１０１の目盛Ｓのうち「１７０ｃｍ」の位置を基準位置として伸長状態にした場合、伸縮ポール１１０の長さは１７０ｃｍとなっている。この場合、第１ポール１０１のみが伸長されており、他の全ての内側ポール１１１が収容されている。また、第２ポール１０２の目盛Ｓのうち「３００ｃｍ」の位置を基準位置として伸長状態にした場合、伸縮ポール１１０の長さは３００ｃｍとなっている。この場合、第１ポール１０１のみが最大伸長距離まで伸長されており、第２ポール１０２が「３００ｃｍ」の目盛の位置まで伸長され、他の全ての内側ポール１１１が収容されている。
【００５５】
このように、本実施形態の伸縮ポール１１０によれば、収容状態にある伸縮ポール１１０を第１ポール１０１から順次伸長させていき、目的とする高さに対応する目盛まで内側ポール１１１を引き出すことによって、容易に伸縮ポール１１０を目的の長さにすることができる。そして、目盛Ｓによって、伸長状態おける伸縮ポール１１０の長さをより細かく確認することができる。
【００５６】
以上、本発明の実施の形態について図面を参照して詳述したが、具体的な構成はこの実施形態に限られるものではない。例えば、ガードマーク及び目盛は一例であり、これに限定されない。ガイドマーク及び目盛は、伸長状態における外側ポールの後端から第１ポールの先端までの長さに応じていればよく、伸長状態における外側ポールの後端から第１ポールの先端までの長さに合致している必要はない。例えば、ガイドマークや目盛として、伸長状態における外側ポールの後端から第１ポールの先端に取付けられた撮像装置のレンズまでの距離を表記してもよい。また、ガイドマークや目盛として、伸長された内側ポールの長さを表記してもよい。例えば、第２実施例における目盛の値から、収容状態にある伸縮ポール１１０の長さを差し引いた値を目盛として用いてもよい。
【００５７】
また、撮像された画像内に方位を示す手段として方位指示部４５Ｎ，４５Ｓ，４５Ｅ，４５Ｗを例示したが、これに限定されない。例えば、撮像装置内に地磁気センサ（電子コンパス）を内蔵させておき、地磁気センサによって取得された方位を画像内に表示させてもよい。
【００５８】
また、撮像された画像内に撮像された高さから水平方向を見た場合における目線の位置を表示する手段として目線ガイド４１を例示したが、これに限定されない。例えば、撮像装置内に加速度センサ（水準器）を内蔵させておき、加速度センサによって取得された水平方向の位置を目線の位置として画像内に表示してもよい。
【００５９】
また、各ポール１２に形成されたガイドラインＧＬによって、各ポール１２の周方向の位置を揃える例を示したが、これに限定されない。例えば、各ポールの回転を規制する構造を採用してもよい。例えば、各ポールを楕円筒形状に形成することで回転を規制してもよい。また、各ポール同士が回転しないためのガイドを設けてもよい。
【００６０】
また、各実施形態において、互いの構成を組み合わせてもよい。例えば、内側ポールの外周に第１実施形態におけるガイドマークを形成し、さらに第２実施形態における目盛を形成してもよい。
【００６１】
また、撮像蔵置として、全方位カメラを例示したが、これに限定されない。撮像装置は、例えば、パノラマカメラや、一般的なデジタルカメラでもよく、さらにビデオカメラであってもよい。
【００６２】
また、ベース板部としての上板部２１ａ，２７ａが固定部２１とペダル部２７とに分割されて形成されることによって、収納状態と使用状態とに切替可能な踏み板２０を例示したが、これに限定されない。例えば、踏み板は、固定部２１とペダル部２７とがヒンジ部２８を介さずに一体的に形成されてもよい。
【００６３】
また、踏み板２０に対して作業者が足で体重を乗せることによって伸縮ポール１０を安定して支持する例を示したが、これに限定されない。例えば、伸縮ポール１０の後端が地面からずれることが防止される程度に、踏み板２０の大きさ、形状、重量等が決められていれば、必ずしも、使用者が踏み板２０を踏んで体重を乗せなくてもよい。
【符号の説明】
【００６４】
１…第１ポール、４、６，８…目印ポール、９…外側ポール、１０…伸縮ポール、１１…内側ポール、１７…取付部、２０…踏み板、２８…ヒンジ部、３０…撮像装置、４５Ｎ，４５Ｓ，４５Ｅ，４５Ｗ…方位指示部、４１…目線ガイド、Ｇ…ガイドマーク、ＧＬ…ガイドライン、Ｓ…目盛。
【図１】
2017067894.tif 000003
【図２】
2017067894.tif 000004
【図３】
2017067894.tif 000005
【図４】
2017067894.tif 000006
【図５】
2017067894.tif 000007
【図６】
2017067894.tif 000008
【図７】
2017067894.tif 000009